(57)【要約】【課題】  シリアル制御バスの制御信号を外部機器に送信する際に、シリアル制御バスの制御信号の論理レベルのローレベルの信号が高くならないようにして、外部機器が誤動作しないようにすることができるようにする。【解決手段】  トランジスタによりコンパレータの一方の入力端子の入力電圧を制御して、シリアル制御バスの制御信号を装置内のデバイスに送信する際に、コンパレータの他方の入力端子に接続されたシリアル制御バスの外部出力をＯＦＦにし、シリアル制御バスの制御信号を外部装置に送信する際に、コンパレータの他方の入力端子に接続されたシリアル制御バスの外部出力をＯＮにするようにする。【選択図】        図１
2005265882.tif 000002
【特許請求の範囲】
【請求項１】
ＤＶｉコネクタを介して接続ケーブルにより接続された映像再生装置と映像表示装置とのシステムをＩ２Ｃバスを介して接続するインタフェース装置であって、
Ｉ２Ｃバスの制御信号を映像再生装置内のデバイスに送信する際に、Ｉ２Ｃバスの外部出力をＯＦＦにし、Ｉ２Ｃバスの制御信号を映像表示装置に送信する際に、Ｉ２Ｃバスの外部出力をＯＮにするコンパレータと、前記コンパレータのＯＮ／ＯＦＦを制御するトランジスタとを備えたことを特徴とするインターフェイス装置。
【請求項２】
ＤＶｉコネクタを介して接続ケーブルにより接続された映像再生装置と映像表示装置とのシステムをシリアル制御バスを介して接続するインタフェース装置であって、
シリアル制御バスの制御信号を映像再生装置内のデバイスに送信する際に、シリアル制御バスの外部出力をＯＦＦにし、シリアル制御バスの制御信号を映像表示装置に送信する際に、シリアル制御バスの外部出力をＯＮにするスイッチ手段と、前記スイッチ手段のＯＮ／ＯＦＦを制御する制御手段とを備えたことを特徴とするインターフェイス装置。
【請求項３】
前記スイッチ手段は、コンパレータであることを特徴とする請求項２記載のインタフェース装置。
【請求項４】
前記制御手段は、トランジスタであることを特徴とする請求項２記載のインターフェイス装置。
【請求項５】
前記シリアル制御バスは、Ｉ２Ｃバスであることを特徴とする請求項２記載のインタフェース装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｋ）装置等の映像再生装置とプロジェクタ装置等の映像表示装置とを接続するインターフェイス装置に係り、特に映像再生装置から送信された制御信号により映像表示装置の動作を制御するインターフェイス装置に関する。
【背景技術】
【０００２】
一般に、ＤＶＤ等の映像再生装置とＰＤＰ（Ｐｌａｓｍａ  Ｄｉｓｐｌａｙ  Ｐｒｏｊｅｃｔｏｒ）装置、ＬＤＰ（Ｌｉｑｕｉｄ  Ｄｉｓｐｌａｙ  Ｐｒｏｊｅｃｔｏｒ）装置等の映像表示装置とを接続ケーブルにより接続して、映像再生装置をリモコン装置により操作することにより、映像表示装置の動作を制御することができるようになっている。図３は従来のインターフェイス装置の構成を示すブロック図であり、図４は従来のインターフェイス装置の回路図である。ＤＶＤ装置３０とプロジェクタ装置４０とは、図３に示すように、ＶＤＩ（Ｄｉｇｉｔａｌ  Ｖｉｄｅｏ  Ｉｎｔｅｒｆａｃｅ）コネクタ３６、４１を介して接続ケーブル５０により接続されていて、プロジェクタ装置４０は、Ｉ２Ｃ（Ｉｎｔｅｒ−Ｉｎｔｅｇｒａｔｅｄ  Ｃｉｒｃｕｉｔ）バスのシリアルクロック（ＳＣＬ）バス、シリアルデータ（ＳＤＡ）バスを介してＤＶＤ装置３０のバックエンドマイコン３１により制御されるようになっている。Ｉ２Ｃバスは、ＳＣＬバスのシリアルクロック信号とＳＤＡバスのシリアルアドレス信号とにより複数のデバイスにデータ転送が可能なシリアル制御バスであり、送信開始を示すスタート・コンディション信号、データ送信先のデバイスに予め割り振られたアドレス信号、デバイスに転送するデータ信号、送信終了を示すストップ・コンディション信号をＳＤＡバスに送出し、ＳＣＬバスを制御することによって、選択されたデバイスにデータを転送することができるシリアル制御バスである。ＤＶＤ装置３０のバックエンドマイコン３１からのＩ２ＣバスのＳＣＬバスのシリアルクロック信号、ＳＤＡバスのシリアルデータ信号とトランスミッタ３４からの映像信号（Ｒ、Ｇ、Ｂ、ＳＹＣ）とは、レベルシフタ３５によりＶＤＩ規格の論理レベルのデジタル信号に変換されてＶＤＩコネクタを介してプロジェクタ装置４０に送信され、ＤＶＤ装置３０から送信されたＩ２ＣバスのＳＣＬバスのシリアルクロック信号、ＳＤＡバスのシリアルデータ信号と映像信号とがプロジェクタ装置４０のレベルシフタ４２によりプロジェクタ４０の論理レベルのデジタル信号に変換されてレシーバ４３に受信されてプロジェクタ装置４０が所定動作するようになっている。ＤＶＤ装置３０内の他のデバイスのＩＣ（Ｉｎｔｅｇｒａｔｅｄ  Ｃｉｒｃｕｉｔ）との通信を行なう場合に、Ｉ２ＣバスのＳＣＬバス、ＳＤＡバスの外部出力をＯＦＦにするためのアナログスイッチ３２、３３が設けられていて、Ｉ２ＣバスのＳＣＬバス、ＳＤＡバスを外部出力する場合、バックエンドマイコン３１はハイレベルの制御信号（ＳＩ）をアナログスイッチ３２、３３のコントロール端子に送出してアナログスイッチ３２、３３をＯＮにし、外部装置にＳＣＬバスのシリアルクロック信号、ＳＤＡバスのシリアルデータ信号を出力するようになっている。しかし、アナログスイッチ３２、３３のオン抵抗は数１０Ω〜数１００Ω程度であり、図４に示すように、Ｉ２ＣバスのＳＣＬバスにはＤＶＤ装置３０のプルアップ抵抗Ｒ３１、Ｒ３２、Ｒ３３及びプロジェクト装置４０のプルアップ抵抗Ｒ４２、Ｒ４３が並列に接続され、Ｉ２ＣバスのＳＤＡバスにはＤＶＤ装置３０のプルアップ抵抗Ｒ３４、Ｒ３５、Ｒ３６及びプロジェクタ装置���０のプルアップ抵抗Ｒ４５、Ｒ４６が並列に接続されているため、ＤＶＤ装置３０のバックエンドマイコン３１から送信されたＩ２ＣバスのＳＣＬバスのシリアルクロック信号、ＳＤＡバスのシリアルデータ信号のローレベルの信号が所定のローレベルよりも高くなり、プロジェクタ装置４０のレシーバ４３によりローレベルのシリアルクロック信号、シリアルデータ信号がハイレベルの信号として受信されてプロジェクタ装置４０が誤動作するという問題点があった。
背景技術としては、それぞれ異なる動作電圧で機能する第１及び第２の装置間で、第２の装置からのデジタル信号のハイレベルの信号とローレベルの信号の検出に応答してスイッチングを行い、第２の装置からのデジタル信号のハイレベルの信号とローレベルの信号とを第１装置のデジタル信号のハイレベルの信号とローレベルの信号とに変換して、第１の装置の入力へ供給するようにしたものがあった（例えば、特許文献１参照）。
また、Ｉ２Ｃバスを介して接続された第１及び第２の装置間で、Ｉ２Ｃバスのシリアルクロック信号及びシリアルデータ信号とをそれぞれ伝送枝路と受信枝路とに分離し、シリアルクロック信号とシリアルデータ信号とをそれぞれの差分信号に変換して伝送するようにしたものがあった（例えば、特許文献２参照）。
また、映像表示装置と映像出力機器との間で、映像表示装置に付属のリモコン装置からの入力信号を予め規約したプロトコルに変換して、制御バスを介して映像表示装置から映像出力機器にコマンドを出力し、映像表示装置からのコマンドを予め規約したプロトコルからその機器固有のコマンドに変換して映像出力機器を制御するようにしたものがあった（例えば、特許文献３参照）。
【特許文献１】特表２００１−５０３５８５号公報
【特許文献２】特開２０００−１３２２８７号公報
【特許文献３】特開２００３−３２５０８号公報
【発明の開示】
【発明が解決しようとする課題】
【０００３】
しかしながら、背景技術で述べたもののうち最初のものにおいては、それぞれ異なる動作電圧で機能する第１及び第２の装置間で、第２の装置からのデジタル信号のハイレベルの信号とローレベルの信号の検出に応答してスイッチングを行い、第２の装置からのデジタル信号のハイレベルの信号とローレベルの信号とを第１装置のデジタル信号のハイレベルの信号とローレベルの信号とに変換して、第１の装置の入力へ供給することができたが、上記した問題点を解決するものではなかった。
また、次のものにおいては、Ｉ２Ｃバスを介して接続された第１及び第２の装置間で、Ｉ２Ｃバスのシリアルクロック信号及びシリアルデータ信号とをそれぞれ伝送枝路と受信枝路とに分離し、シリアルクロック信号とシリアルデータ信号とをそれぞれの差分信号に変換して伝送することができたが、上記同様、上記した問題点を解決するものではなかった。
また、更にその次のものにおいては、映像表示装置と映像出力機器との間で、映像表示装置に付属のリモコン装置からの入力信号を予め規約したプロトコルに変換して、制御バスを介して映像表示装置から映像出力機器にコマンドを出力し、映像表示装置からのコマンドを予め規約したプロトコルからその機器固有のコマンドに変換して映像出力機器を制御することができたが、上記同様、上記した問題点を解決するものではなかった。
本発明は、背景技術の有するこのような問題点に鑑みてなされたものであり、その目的とするところは、シリアル制御バスの制御信号を外部機器に送信する際に、シリアル制御バスの制御信号の論理レベルのローレベルの信号が高くならないようにして、外部機器が誤動作しないようにすることができるインターフェイス装置を提供しようとするものである。
【課題を解決するための手段】
【０００４】
上記目的を達成するため本発明においては、ＤＶｉコネクタを介して接続ケーブルにより接続された映像再生装置と映像表示装置とのシステムをシリアル制御バスを介して接続するインタフェース装置であって、シリアル制御バスの制御信号を映像再生装置内のデバイスに送信する際に、シリアル制御バスの外部出力をＯＦＦにし、シリアル制御バスの制御信号を映像表示装置に送信する際に、シリアル制御バスの外部出力をＯＮにするスイッチ手段と、前記スイッチ手段のＯＮ／ＯＦＦを制御する制御手段とを備える。
前記スイッチ手段は、コンパレータによりシリアル制御バスの外部出力をＯＮ／ＯＦＦするようにするとよい。これにより、コンパレータの一方の入力端子の入力電圧を制御して、他方の入力端子に入力されたシリアル制御バスの外部出力をＯＮ／ＯＦＦすることができ、シリアル制御バスの制御信号の論理レベルのローレベルの信号が高くならないようにすることができる。
前記制御手段には、トランジスタを用いて、トランジスタにより前記スイッチ手段のＯＮ／ＯＦＦを制御するようにするとよい。
前記シリアル制御バスは、Ｉ２Ｃバスとするとよい。これにより、ＤＶｉコネクタを介して接続ケーブルにより接続された映像再生装置と映像表示装置とのシステムをＩ２ＣバスのＳＣＬバスとＳＤＡバスとにより接続することができる。
これらの手段により、シリアル制御バスの制御信号を外部機器に送信する際に、シリアル制御バスの制御信号の論理レベルのローレベルの信号が高くならないようにして、外部機器が誤動作しないようにすることができる。
【発明の効果】
【０００５】
請求項１記載の発明に係るインターフェイス装置によれば、ＤＶｉコネクタを介して接続ケーブルにより接続された映像再生装置と映像表示装置とのシステムをＩ２Ｃバスを介して接続し、トランジスタによりコンパレータのＯＮ／ＯＦＦ動作を制御して、Ｉ２Ｃバスの制御信号を映像再生装置内のデバイスに送信する際に、Ｉ２Ｃバスの外部出力をＯＦＦにし、Ｉ２Ｃバスの制御信号を映像表示装置に送信する際に、Ｉ２Ｃバスの外部出力をＯＮにするようにしているので、Ｉ２ＣバスのＳＣＬバスのシリアルクロック信号、ＳＤＡバスのシリアルデータ信号の論理レベルのローレベルの信号が高くならないようにすることができる。
請求項２記載の発明に係るインターフェイス装置によれば、ＤＶｉコネクタを介して接続ケーブルにより接続された映像再生装置と映像表示装置とのシステムをシリアル制御バスを介して接続し、スイッチ手段のＯＮ／ＯＦＦを制御して、シリアル制御バスの制御信号を映像再生装置内のデバイスに送信する際に、シリアル制御バスの外部出力をＯＦＦにし、シリアル制御バスの制御信号を映像表示装置に送信する際に、シリアル制御バスの外部出力をＯＮにするようにしているようにしているので、映像再生装置と映像表示装置とが接続ケーブルにより接続されていないときに、ＤＶｉコネクタが何らかの原因により短絡された場合、シリアル制御バスの焼損を防止することができる。
請求項４記載の発明に係るインターフェイス装置によれば、コンパレータによりシリアル制御バスの外部出力をＯＮ／ＯＦＦするようにしているので、コンパレータの一方の入力端子の入力電圧を制御して、他方の入力端子に入力されたシリアル制御バスの外部出力をＯＮ／ＯＦＦすることができ、シリアル制御バスの制御信号の論理レベルのローレベルの信号が高くならないようにすることができる。
請求項５記載の発明に係るインターフェイス装置によれば、トランジスタによりシリアル制御バスの外部出力のＯＮ／ＯＦＦをスイッチを制御するようにしているので、低コストでスイッチを制御することができる。
請求項３記載の発明に係るインターフェイス装置によれば、シリアル制御バスをＩ２Ｃバスとしているので、ＤＶｉコネクタを介して接続ケーブルにより接続された映像再生装置と映像表示装置とのシステムをＩ２ＣバスのＳＣＬバスとＳＤＡバスとにより接続することができる。
【発明を実施するための最良の形態】
【０００６】
以下、適宜図面を参照しながら本発明を実施するための最良の形態を詳述する。図１は本発明の一実施例のインターフェイス装置の構成を示すブロック図であり、図２は本発明の一実施例のインターフェイス装置の回路図である。
まず、図１は本発明の一実施例のインターフェイス装置の構成を示すブロック図を基に説明する。
ＤＶＤ装置１は、Ｉ２ＣバスのＳＣＬバスのシリアルクロック信号、ＳＤＡバスのシリアルデータ信号を送出して周辺装置を制御するバックエンドマイコン２と、Ｉ２ＣバスのＳＣＬバスとＳＤＡバスとの外部出力をＯＮ／ＯＦＦするコンパレータ３、４と、ＤＶＤ装置１により再生された映像信号を外部機器に出力するトランスミッタ５と、Ｉ２ＣバスのＳＣＬバスのシリアルクロック信号、ＳＤＡバスのシリアルデータ信号とトランスミッタ５からの映像信号とのデジタル信号の論理レベルをＤＶｉ規格の論理レベルに変換するレベルシフタ６と、Ｉ２ＣバスのＳＣＬバスのシリアルクロック信号、ＳＤＡバスのシリアルデータ信号、映像信号を出力するＤＶｉコネクタ７とで構成されている。
また、プロジェクタ装置１０は、接続ケーブル２０によりＤＶＤ装置１のＤＶｉコネクタ７と接続するＤＶｉコネクタ１１と、ＤＶｉ規格の論理レベルのＩ２ＣバスのＳＣＬバスのシリアルクロック信号、ＳＤＡバスのシリアルデータ信号、映像信号をプロジェクタ装置１０の所定の論理レベルに変換するレベルシフタ１２と、レベルシフタ１２により所定の論理レベルに変換されたＩ２ＣバスのＳＣＬバスのシリアルクロック信号、ＳＤＡバスのシリアルデータ信号、映像信号を受信するレシーバ１３とで構成されている。
以上のように構成されたインターフェイス装置について、図２の本発明の一実施例のインターフェイス装置の回路図を参照しながら、以下その動作について説明する。
ＤＶＤ装置１内の各デバイスは電源電圧＋３．３Ｖで動作するようになっていて、ＤＶＤ装置１のリモコン装置（図示せず）等によりプロジェクタ装置１０の動作が指令されると、バックエンドマイコン２は、ローレベルの制御信号（ＳＩ）をトランジスタＱ１、Ｑ２のベースに出力してトランジスタＱ１、Ｑ２をＯＮにし、抵抗Ｒ４、Ｒ５が接続されたコンパレータ３の反転入力端子（−）の入力電圧と、抵抗Ｒ９、Ｒ１０が接続されたコンパレータ４の反転入力端子（−）の入力電圧とを下げて、コンパレータ３の非反転入力端子（＋）に入力されたＳＣＬバスのシリアルクロック信号と、コンパレータ４の非反転入力端子（＋）に入力されたＳＤＡバスのシリアルデータ信号とをＤＶｉコネクタ７に出力する。コンパレータ３、４の出力端子はオープンコレクタ出力となっていて、コンパレータ３、４の非反転入力端子（＋）の入力信号が反転入力端子（−）の電圧より低い場合、一端が電源電圧＋５Ｖに接続されたプルアップ抵抗Ｒ２、Ｒ７の他端の電圧がコンパレータ３、４の出力端子により引き込まれて、論理レベルが略０Ｖのローレベル信号がＤＶｉコネクタ７に出力され、コンパレータ３、４の非反転入力端子（＋）の入力信号が反転入力端子（−）の入力電圧より高い場合、一端が電源電圧＋５Ｖに接続されたプルアップ抵抗Ｒ２、Ｒ７の他端の電圧がコンパレータ３、４の出力端子により引き込まれず、論理レベルが略＋５Ｖのハイレベル信号がＤＶｉコネクタ７に出力される。なお、トランジスタＱ１、Ｑ２がＯＦＦになっている場合、コンパレータ３、４の反転入力端子（−）の入力電圧がコンパレータ３、４の非反転入力端子（＋）に入力された信号の電圧レベルより高くなるため、コンパレータ３、４の出力端子がローレベルになり、Ｉ２ＣバスのＳＣＬバスのシリアルクロック信号、ＳＤＡバスのシリアルデータ信号がＶＤＩコネクタ７に出力されないので、Ｉ２ＣバスのＳＣＬバス、ＳＤＡバスの外部出力がＯＦＦになる。
また、ＤＶＤ装置１のリモコン装置（図示せず）等によりＤＶＤ装置１の再生が指令されると、バックエンドマイコン２は、ハイレベルの制御信号（ＳＩ）をトランジスタＱ１、Ｑ２のベースに出力して、トランジスタＱ１、Ｑ２をＯＦＦにし、Ｉ２ＣバスのＳＣＬバスのシリアルクロック信号、ＳＤＡバスのシリアルデータ信号をトランスミッタ５に送出して、トランスミッタ５により映像信号（Ｒ、Ｇ、Ｂ、ＳＹＣ）を出力し、レベルシフタ６により論理レベルを変換して、ＶＤＩコネクタ７に出力する。ネットワーク抵抗ＲＡ１はトランスミッタ５の各オープンコレクタ出力端子を電源電圧＋３．３Ｖにプルアップして、トランスミッタ５の各出力端子の出力信号を論理レベルが略＋３．３Ｖのハイレベル信号と略０Ｖのローレベル信号とを出力するためのものであり、ネットワーク抵抗ＲＡ２はレベルシフタ６の各オープンコレクタ出力端子を電源電圧＋５Ｖにプルアップして、レベルシフタ６の各出力端子の出力信号を論理レベルが略５Ｖのハイレベル信号と略０Ｖのローレベル信号とを出力するためのものである。
プロジェクタ装置１０内の各デバイスは電源電圧＋３．３Ｖで動作するようになっていて、プロジェクタ装置１０は、ＶＤＩコネクタ１１を介して接続ケーブル２０によりＤＶＤ装置１のＶＤＩコネクタ７に接続されている。そして、ＤＶＤ装置１から送信されたＩ２ＣバスのＳＣＬバスのシリアルクロック信号は抵抗Ｒ１１とＲ１２とにより分圧され、ＳＤＡバスのシリアルデータ信号は抵抗Ｒ１４とＲ１５とにより分圧されて、レベルシフタ１２の各入力端子に入力され、レベルシフタ１２により電源電圧＋３．３Ｖの論理レベルの信号にそれぞれ変換されて、論理レベルが変換されたＩ２ＣバスのＳＣＬバスのシリアルクロック信号、ＳＤＡバスのシリアルデータ信号がレシーバ１３により受信され、プロジェクタ装置１０の動作が制御される。また、ＤＶＤ装置１から送信された映像信号（Ｒ、Ｇ、Ｂ、ＳＹＣ）はネットワーク抵抗ＲＡ１１とＲＡ１２とによりそれぞれ分圧されて、それぞれの信号がレベルシフタ１２に入力されて、レベルシフタ１２により電源電圧＋３．３Ｖの論理レベルの信号にそれぞれ変換されて、論理レベルが変換された映像信号（Ｒ、Ｇ、Ｂ、ＳＹＣ）がレシーバ１３により受信され、ＤＶＤ装置１により再生された映像がプロジェクタ装置１０の画面（図示せず）に表示される。抵抗Ｒ１３、Ｒ１６とネットワーク抵抗ＲＡ１３とは、レベルシフタ１２の各オープンコレクタ出力端子を電源電圧＋３．３Ｖにプルアップして、レベルシフタ１２の各出力端子の出力信号を論理レベルが略＋３．３Ｖのハイレベル信号と略０Ｖのローレベル信号とを出力するためのものである。
以上、本発明を実施するための最良の形態について詳述したが、本発明はこれに限らず、当業者の通常の知識の範囲内でその変形や改良が可能である。例えば、ＤＶＤ装置によりＩ２Ｃバスを介してプロジェクタ装置を制御することを説明したが、プロジェクタ装置によりＩ２Ｃバスを介してＤＶＤ装置を制御するようにしてもよい。
【図面の簡単な説明】
【０００７】
【図１】本発明の一実施例のインターフェイス装置の構成を示すブロック図である。
【図２】本発明の一実施例のインターフェイス装置の回路図である。
【図３】従来のインターフェイス装置の構成を示すブロック図である。
【図４】従来のインターフェイス装置の回路図である。
【符号の説明】
【０００８】
１  ＤＶＤ装置
２  バックエンドマイコン
３、４  コンパレータ
５  トランスミッタ
６  レベルシフタ
７  ＤＶｉコネクタ
１０  プロジェクタ装置
１１  ＤＶｉコネクタ
１２  レベルシフタ
１３  レシーバ
２０  接続ケーブル
Ｑ１、Ｑ２  トランジスタ
Ｒ１〜Ｒ１０、Ｒ１１〜Ｒ１６  抵抗
ＲＡ１、ＲＡ２、ＲＡ１２、ＲＡ１３  ネットワーク抵抗
【図１】
2005265882.tif 000003
【図２】
2005265882.tif 000004
【図３】
2005265882.tif 000005
【図４】
2005265882.tif 000006